(57)【要約】【課題】高い衛生状態が確保され、また薬液の適宜の注入が容易となり、更には容器内の液体を完全に使い切るようにする。【解決手段】内視鏡内のウォータージェット管や処置具挿通チャンネルを通した送水管に送水する装置で、吊り下げフック５６に係合孔５４ｂを係合させ、かつ液体を収容する本体袋５４ａの下部にゴム製液体取出し部５４ｃを設けた液体バッグ５４を用い、この液体バッグ５４のゴム製液体取出し部５４ｃに注射針５２を刺し込み、この注射針５２にルアーロック接続式の雌コネクタ５０で接続された連結管１５ｄから送水ポンプ部３０を介して液体を内視鏡側へ送給する。また、上記雌コネクタ５０にはタンク３４の取出し管３４Ｐを雄コネクタ５１にて取り付け、上記液体バッグ５４とタンク３４とを選択的に使用することができる。【選択図】図１
2006325815.tif 000002
【特許請求の範囲】
【請求項１】
内視鏡に配置される送水管路に対して液体を供給する送水ポンプ部が備えられた内視鏡用送水装置において、
吊り下げ具に吊り下げられるために係合する係合部材と、液体を収容する本体と、この本体下部に配置され、注射針を貫通させるためのゴム製液体取出し部とからなる液体容器と、
上記送水ポンプ部に接続され、上記注射針を取り付けた連結管路と、を設け、
上記液体容器を上記吊り下げ具に吊り下げ、上記ゴム製液体取出し部に上記注射針を刺し込んだ状態として、上記液体容器からの液体を送水ポンプ部へ送るようにしたことを特徴とする内視鏡用送水装置。
【請求項２】
上記注射針を取り付けた連結管路には、この注射針と取出し管路付タンクの取出し管路とを選択的に接続するコネクタを設けたことを特徴とする請求項１記載の内視鏡用送水装置。
【発明の詳細な説明】
【技術分野】
【０００１】
本発明は内視鏡用送水装置、特に内視鏡内に配設された専用の送水管路や、処置具挿通チャンネルを通して使用する各種の送水管路或いは処置具に設けられた送水管路を用いて、被観察体内へ液体を供給するための内視鏡用送水装置の構成に関する。
【背景技術】
【０００２】
従来から、内視鏡装置では、内視鏡（スコープ）内部に専用の送水管路（所謂ウォータージェット管）を設け、送水ポンプ部により被観察体（患部等）に洗浄用の生理食塩水や処置のための薬液等を供給することが行われる。この送水管は、対物光学系の観察窓を洗浄する送気／送水管とは別個に配設される。
【０００３】
一方、内視鏡装置では、各種の処置具を被観察体内へ導く処置具挿通チャンネルが設けられており、この処置具挿通チャンネルに、直接又は各種の径の送水チューブを通し、被観察体内の状況、処置の相違等に応じた液体を注入することが行われる。これによれば、上記ウォータージェット管とは異なる径の送水チューブを使用するので、送水の範囲（送水口の広さ）、量又は速度を状況に応じて選択できるという利点がある。
【０００４】
また、近年では、送水管路を配置した処置具も用いられており、例えば生体組織を高周波切開によって切除する高周波ナイフでは、焼灼切開中に付設の送水管路から生理食塩水等の洗浄水を送ることにより、出血部等を洗浄することが行われる。
【特許文献１】特開２００２−１７７２０８号公報
【特許文献２】特開２００１−３２１３３９号公報
【発明の開示】
【発明が解決しようとする課題】
【０００５】
ところで、被観察体内へ送水される生理食塩水や薬液等の液体は貯留タンク内に収納され、このタンク内の液体が送水装置及び内視鏡内送水管を介して被観察体へ送給されることになり、このタンク及び内部の液体は、衛生上の管理が必要となる。また、内視鏡検査及び処置では、複数の被験者、患者に対して同一のタンク内の液体を使用することが多く、このような場合には、衛生、細菌感染等の観点から、内視鏡側送水管からの液体をタンク内へ逆流させないシステム構成にする必要がある。
【０００６】
更に、内視鏡検査及び処置では、状況に応じて、生理食塩水等の液体に消泡剤等の薬液を注入することが行われるが、このような適宜の薬液注入を行い易くすることも必要となる。また、図４に示されるように、従来の液体タンク１では、上方のキャップ１ａから取出し管２を下方まで配置し、この取出し管２から液体を吸い上げるようにして取り出す構成となっているため、下部に貯留する液体１００が残り、タンク１内の液体を完全に使い切ることができなかった。
【０００７】
本発明は上記問題点に鑑みてなされたものであり、その目的は、１回限りの同一患者の専用容器としての使用を可能にすることによって高い衛生状態が確保され、また薬液の適宜の注入が容易となり、更には容器内の液体を完全に使い切ることもできる内視鏡用送水装置を提供することにある。
【課題を解決するための手段】
【０００８】
上記目的を達成するために、請求項１の発明は、内視鏡に配置される送水管路に対して液体を供給する送水ポンプ部が備えられる内視鏡用送水装置において、吊り下げ具に吊り下げられるために係合する係合部材と、液体を収容する本体と、この本体下部に配置され、注射針（中空針）を貫通させるためのゴム製液体取出し部とからなる液体容器と、上記送水ポンプ部に接続され、上記注射針を取り付けた連結管路と、を設け、上記液体容器を上記吊り下げ具に吊り下げ、上記ゴム製液体取出し部に上記注射針を刺し込んだ状態として、上記液体容器からの液体を送水ポンプ部へ送るようにしたことを特徴とする。
請求項２の発明は、上記注射針を取り付けた連結管路には、この注射針と取出し管路付タンクの取出し管路とを選択的に接続するコネクタ（例えばルアーロック接続式コネクタ）を設けたことを特徴とする。
【０００９】
本発明の構成によれば、液体容器として、従来の輸液（輸血）バッグと同様に、合成樹脂製の軟性袋を用いた液体バッグ（パック）とすることができ、この液体容器を吊り下げ具に吊り下げて、下部のゴム製液体取出し部に注射針を刺し込み配置することにより、液体容器内の液体が連結管路を介して送水ポンプ部へ供給され、この液体は送水ポンプ部から内視鏡内送水管路を介して被観察体内へ送られる。このとき、薬液を入れたシリンジの針をゴム製液体取出し部に刺して、薬液を液体に加えたりすることができる。
上記請求項２の構成によれば、例えばルアーロック接続式コネクタによって注射針と従来のタンクの取出し管とを交換することができ、状況に応じて、本発明の液体バッグと取出し管路付タンクとを選択することができる。
【発明の効果】
【００１０】
本発明の内視鏡装置によれば、液体バッグ等を１回限りの同一患者の専用の容器として使用（シングルユース）することができ、高い衛生状態を確保することが可能となる。また、被観察体内へ送水される液体に加える薬液の適宜の注入も容易となり、更には容器内の液体を残さず完全に使い切ることも可能になる。
【発明を実施するための最良の形態】
【００１１】
図１及び図２には、実施例に係る内視鏡用送水装置の構成が示されており、まず図２により内視鏡を含む全体の構成を説明する。図２に示されるように、内視鏡（電子内視鏡）１０は、挿入部１０Ａ、操作部１０Ｂ及びケーブル部１０Ｃを有し、このケーブル１０Ｃのコネクタ１２によって図の光源装置１３に接続される。電子内視鏡の場合は、上記ケーブル１０Ｃはプロセッサ装置にも接続される。この内視鏡１０には、その内部に各種の管路が設けられており、ウォータージェット管（専用送水管路）１５ａが挿入部１０Ａの先端から操作部１０Ｂの後端部まで配設され、挿入部１０Ａの先端に設けられた対物光学系の観察窓（レンズ面）をノズルを介して洗浄するために、先端側に送気／送水管１６ａが設けられ、この送気／送水管１６ａに連通するように、送気管１６ｂ、送水管１６ｃが配設される。
【００１２】
また、内視鏡１０には、吸引管を兼ねる処置具挿通チャンネル１７ａとこの処置具挿通チャンネル１７ａに連通する吸引管１７ｂが設けられており、処置具挿通チャンネル１７ａには、操作部１０Ｂの位置に鉗子口（処置具挿入口）２０が設けられる。そして、この鉗子口２０から処置具挿通チャンネル１７ａに、第２送水管１８が挿入されることになり、この第２送水管１８としては、各種の径を持ち硬質の合成樹脂材料からなる送水チューブと、高周波ナイフ等の処置具に設けられている送水管等が存在する。
【００１３】
上述した観察窓洗浄のための送気管１６ｂと送水管１６ｃには、途中に送気／送水操作バルブ（スイッチ）２２が設けられると共にタンク（第１送水タンク）２３が接続され、この送気管１６ｂは、連結管１６ｄを介して光源装置１３内（又は別体）のポンプ２４に接続されており、上記送気／送水操作バルブ２２の例えば２段の押下操作によって観察窓に対して送気と送水を行うことができる。また、吸引管１７ｂは、その途中に吸引操作バルブ（スイッチ）２７が設けられ、コネクタ１２の接続管を介して吸引装置に接続されており、上記吸引操作バルブ２７の操作によって被観察体内の内容物等を吸引し（１７ａ，１７ｂを介して）排出することができる。
【００１４】
また、内視鏡用送水装置では、被観察体内へ液体を送水するための送水ポンプ部３０が備えられており、この送水ポンプ部３０には、モータや制御回路を有するポンプ部本体３１、この本体３１の前面側に配置されたポンプ３２、送水操作をするフットスイッチ３３及びタンク（第２送水タンク）３４が設けられ、このタンク３４は連結管１５ｄを介してポンプ３２（入力ポート）に接続される。
【００１５】
更に、上記ポンプ３２（出力ポート）と上記内視鏡１０内に配置されたウォータージェット管１５ａとを接続するために第１送水管１５ｂと連結管１５ｃが設けられ、この第１送水管１５ｂと連結管１５ｃの間に、３方活栓等からなる管路の切換え弁（１入力、２出力）３６が取り付けられており、この切換え弁３６の１入力にポンプ３２側の連結管１５ｃ、２出力に第１送水管１５ｂと第２送水管１８が接続される。即ち、実施例では、切換え弁３６の手動操作によって、内視鏡内のウォータージェット管１５ａを用いた送水と、鉗子口２０から処置具挿通チャンネル１６ａを通して被観察体内へ導出される各種径の送水チューブ或いは高周波ナイフ等の処置具に設けられている送水管である第２送水管１８を用いた送水とを切り換えて使用することができる。
【００１６】
図１には、上記送水ポンプ部３０と液体バッグ及びタンク３４の詳細な構成が示されており、図示のように、送水ポンプ部（装置）３０の本体３１には、電源スイッチ４４、フットスイッチ３３の接続部３３Ｃ、流量調整ツマミ（可変抵抗器）４５等が設けられると共に、ポンプ３２ではその入力ポート管４６にタンク側の連結管１５ｄが接続され、出力ポート管４７に内視鏡側への連結管１５ｃが接続される。上記連結管１５ｄの先端に、ルアーロック接続式（雄雌ネジ固定式）の雌コネクタ５０が取り付けられ、この雌コネクタ５０に注射針５２の雄ネジ部が螺合接続する構造となっている。
【００１７】
そして、実施例では、液体容器として液体バッグ５４が設けられる。この液体バッグ５４は、輸液（輸血）バッグと同様の構成となっており、生理食塩水や薬液等の液体を収納する軟質の合成樹脂製の本体袋５４ａ、この本体袋５４ａの上部に配置され、専用スタンドや内視鏡のシステムラック等に配置された吊り下げフック５６に引っ掛けるための係合孔５４ｂ、及び本体袋５４ａの下部に配置されたゴム製液体取出し部５４ｃから構成される。
【００１８】
一方、実施例のタンク３４は、液体取出し管３４Ｐをキャップからではなく、側面上部からタンク側面に沿って底部まで配置したものであり、この取出し管３４Ｐの先端に上記雌コネクタ５０接続するルアーロック接続式の雄コネクタ５１が設けられる。
【００１９】
このような実施例の構成によれば、図１の吊り下げフック５６に係合孔５４ｂを引っ掛けて液体バッグ５４を吊り下げ、この液体バッグ５４のゴム製液体取出し部５４ｃに、連結管１５ｄの雌コネクタ５０に接続した注射針５２を刺し込むことにより、液体バッグ５４内の生理食塩水等の液体をポンプ３２によって内視鏡１０側へ供給することができる。このとき、薬液を入れたシリンジ（注射器）を図の他の注射針５７に接続し、この注射針５７をゴム製液体取出し部５４ｃに刺すことにより、適宜、消泡剤等の薬液を液体に追加して送水ポンプ部３０から供給することもできる。
【００２０】
そして、実施例では、図２のウォータージェット管１５ａと、鉗子口２０から処置具挿通チャンネル１６ａを通す第２送水管１８を切換え弁３６で切り換えることができ、状況に応じて選択された送水管を介して目的の液体が被観察体内へ送られる。
上記の液体バッグ５４によれば、１回限りの使い切り液体容器とすることができると共に、内部に空気が存在しないので、液体を残さず最後まで注射針５２から取り出すことができる。
【００２１】
また、実施例では、図１に示されるように、ルアーロック接続式の雌コネクタ５０から注射針５２を外した後、タンク３４の取出し管３４Ｐの雄コネクタ５１を上記雌コネクタ５０に接続し、タンク３４の液体を使用することもできる。即ち、状況に応じて、液体バッグ５４と取出し管３４Ｐを有するタンク３４を選択することができる。
【００２２】
図３には、実施例の液体容器の他の例が示されており、この例は軟質バッグではなく、硬質の容器を用いたものである。即ち、液体容器５８は、硬質の合成樹脂製又はガラス容器等からなる本体容器５８ａ、上部に係合部５８ｂを有し、本体容器５８ａを保持するようにその外周に巻き付けられた網状支持体５８ｂ、及びゴム製液体取出し部５８ｄから構成される。
【００２３】
このような液体容器５８によっても、吊り下げフック５６に係合部５８ｂを引っ掛けて液体容器５８を吊り下げ、この液体容器５8のゴム製液体取出し部５８ｄに、連結管１５ｄに接続した注射針５２を刺し込むと共に、空気供給通路を確保するための他の注射針５２を刺し込むことにより、液体容器５８内の生理食塩水等の液体をポンプ３２によって内視鏡１０側へ供給することが可能となる。
【図面の簡単な説明】
【００２４】
【図１】本発明の実施例に係る内視鏡用送水装置の構成を示す図である。
【図２】実施例に係る内視鏡用送水装置を内視鏡に適用したときの全体構成を示す図である。
【図３】実施例の液体容器の他の構成を示す図である。
【図４】従来の液体タンクの構成を示す図である。
【符号の説明】
【００２５】
１０…内視鏡、                  １５ａ…ウォータージェット管、
１５ｂ…第１送水管、            １５ｃ，１５ｄ…連結管、
１７ａ…処置具挿通チャンネル、  １８…第２送水管、
３０…送水ポンプ部、            ３１…ポンプ部本体、
３４…タンク、                  ３６…切換え弁、
５０…雌コネクタ、              ５１…雄コネクタ、
５２，５７…注射針、            ５４…液体バッグ、
５４ａ…本体袋、                ５４ｂ…係合孔、
５４ｃ，５８ｄ…ゴム製液体取出し部、  ５８…液体容器、
５８ａ…容器本体、              ５８ｂ…係合部。
【図３】
2006325815.tif 000003
【図４】
2006325815.tif 000004
【図１】
2006325815.tif 000005
【図２】
2006325815.tif 000006